【手続補正書】
【提出日】平成20年6月6日(2008.6.6)
【手続補正１】
【補正対象書類名】特許請求の範囲
【補正対象項目名】全文
【補正方法】変更
【補正の内容】
【特許請求の範囲】
【請求項１】
患者の組織に接触するように形成された本体部分と、
マイクロチップと、
前記インプラント本体上に配置され、前記マイクロチップに接続された複数のセンサと、
を備え、
少なくとも１つのセンサは、前記インプラント又は前記患者の組織の一部分から物理的刺激を受け取るように形成されることを特徴とする
インプラント。
【請求項２】
前記マイクロチップは、さらにデータ・ロガーを備えることを特徴とする、請求項１に記載のインプラント。
【請求項３】
前記マイクロチップは、さらに電源を備えることを特徴とする、請求項２に記載のインプラント。
【請求項４】
前記電源はバッテリを含むことを特徴とする、請求項３に記載のインプラント。
【請求項５】
前記インプラントは骨プレートであることを特徴とする、請求項１に記載のインプラント。
【請求項６】
前記インプラントは被覆を含むことを特徴とする、請求項１に記載のインプラント。
【請求項７】
前記被覆は、ポリマー又は多孔性金属を含むことを特徴とする、請求項６に記載のインプラント。
【請求項８】
前記被覆は医薬活性薬剤を含むことを特徴とする、請求項７に記載のインプラント。
【請求項９】
前記インプラントは髄内釘であることを特徴とする、請求項１に記載のインプラント。
【請求項１０】
前記インプラントは脊椎固定要素であることを特徴とする、請求項１に記載のインプラント。
【請求項１１】
前記脊椎固定要素は、椎弓根スクリュー、脊椎固定プレート、脊椎固定ロッド及び脊椎固定フックのうちの少なくとも１つを含むことを特徴とする、請求項１０に記載のインプラント。
【請求項１２】
前記少なくとも１つのセンサは、前記インプラントの少なくとも一部分から歪みを受け取るように形成され、適合させられることを特徴とする、請求項１に記載のインプラント。
【請求項１３】
前記少なくとも１つのセンサは、前記インプラントの少なくとも一部分に加えられた圧力を受け取るように形成され、適合させられることを特徴とする、請求項１に記載のインプラント。
【請求項１４】
前記少なくとも１つのセンサは、前記インプラントの少なくとも一部分の温度を受け取るように形成され、適合させられることを特徴とする、請求項１に記載のインプラント。
【請求項１５】
前記少なくとも１つのセンサは、画像を記録するように形成され、適合させられることを特徴とする、請求項１に記載のインプラント。
【請求項１６】
前記少なくとも１つのセンサは、骨の成長を刺激するための電流を放出するように形成され、適合させられることを特徴とする、請求項１に記載のインプラント。
【請求項１７】
前記患者の組織は、骨折の第１及び第２の骨部分を含み、前記インプラントは、該第１及び第２の骨折した骨部分の融合を促進するために、該第１及び第２の骨部分に微動を加えるように形成された要素をさらに備えることを特徴とする、請求項１に記載のインプラント。
【請求項１８】
前記インプラントは、該インプラントに加えられた荷重サイクルの数を計数するためのカウンタをさらに備えることを特徴とする、請求項１に記載のインプラント。
【請求項１９】
治療薬剤を貯蔵するためのコンパートメントをさらに備えることを特徴とする、請求項１に記載のインプラント。
【請求項２０】
前記治療薬剤は、抗生物質、成長因子、鎮痛剤、化学療法薬剤、及び成長抑制剤のうちの少なくとも１つを含むことを特徴とする、請求項１９に記載のインプラント。
【請求項２１】
前記インプラントは椎間インプラントであることを特徴とする、請求項１に記載のインプラント。
【請求項２２】
前記インプラントは伸延器であることを特徴とする、請求項１に記載のインプラント。
【請求項２３】
前記インプラントは外部固定器具であることを特徴とする、請求項１に記載のインプラント。
【請求項２４】
骨固定用のインプラントであって、
骨に接触するように形成された本体部分と、
留め具を収容するための前記本体部分内の複数の穴と、
データ・ロガー、信号コンディショナ、マルチプレクサ、及びトランスミッタを含むオンボード・マイクロチップと、
前記マイクロチップに接続され、前記インプラント上の種々の点に配置される複数のセンサと、
を備え、
前記センサは、前記インプラント又は前記骨の一部分から、少なくとも１つの物理的刺激を受け取るように形成されることを特徴とする、
インプラント。
【請求項２５】
前記インプラントは骨プレートを含むことを特徴とする、請求項２４に記載のインプラント。
【請求項２６】
前記インプラントは髄内釘を含むことを特徴とする、請求項２４に記載のインプラント。
【請求項２７】
前記インプラントは脊椎固定要素であることを特徴とする、請求項２４に記載のインプラント。
【請求項２８】
前記脊椎固定要素は、椎弓根スクリュー、脊椎固定プレート、脊椎固定ロッド及び脊椎固定フックのうちの少なくとも１つを含むことを特徴とする、請求項２７に記載のインプラント。
【請求項２９】
前記複数のセンサは、前記穴の周囲に配置されることを特徴とする、請求項２４に記載の骨プレート。
【請求項３０】
前記センサの１つは、圧力トランスデューサ、熱電対、歪みゲージ、デジタル画像形成要素、及びサイクル・カウンタから構成される群の少なくとも１つから選択されることを特徴とする、請求項２４に記載の骨プレート。
【請求項３１】
少なくとも１つのセンサを有し、少なくとも部分的に患者の体内に挿入するように形成されたインプラントと、
前記インプラント及び前記センサに関連付けられ、前記センサから少なくとも第１の信号を受信するように構成されたマイクロチップと、
前記第１の信号の典型である第２の信号を伝送するための、前記マイクロチップに関連付けられたトランスミッタと、
前記伝送された第２の信号を受信するように構成され、前記患者の体外に配置される受信デバイスと、
前記受信デバイスに関連付けられ、前記第２の信号の可聴的又は視覚的な表示をユーザに提供するように構成された表示デバイスと、
を備えるモニタ・システム。
【請求項３２】
前記マイクロチップは、データ・ロガーをさらに備えることを特徴とする、請求項３１に記載のモニタ・システム。
【請求項３３】
前記表示デバイスは、前記伝送される第２の信号を連続的に記録するようにさらに構成されることを特徴とする、請求項３１に記載のモニタ・システム。
【請求項３４】
前記インプラントは骨プレートであることを特徴とする、請求項３１に記載のモニタ・システム。
【請求項３５】
前記少なくとも１つのセンサは、前記インプラントの少なくとも一部分から歪みを受け取るように形成され、適合させられることを特徴とする、請求項３１に記載のモニタ・システム。
【請求項３６】
前記少なくとも１つのセンサは、前記インプラントの少なくとも一部分に加えられた圧力を受け取るように形成され、適合させられることを特徴とする、請求項３１に記載のモニタ・システム。
【請求項３７】
前記少なくとも１つのセンサは、前記インプラントの少なくとも一部分の温度を受け取るように形成され、適合させられることを特徴とする、請求項３１に記載のモニタ・システム。
【請求項３８】
前記インプラントは、前記マイクロチップによって受信された信号に応答して放出される治療薬剤を保持するためのコンパートメントをさらに備えることを特徴とする、請求項３１に記載のモニタ・システム。